(57)【要約】【課題】自局の通信周波数と同一周波数帯域の信号を受信した場合であっても、所望の信号でない場合には、一定時間受信信号処理部が再起動されるのを禁止し、消費電力を削減する。【解決手段】高周波信号を検波し検波した高周波信号が一定レベル以上であると起動信号１１３を出力する起動回路１１５と、起動信号１１３を受けて高周波信号の復調動作を開始する受信信号処理部１１４と、を有する受信機であって、受信信号処理部１１４が、高周波信号から復調信号を復元する復調回路１１０と、復調信号が所望の信号であるか否か判定し所望の信号でなかった場合に起動回路１１５に再起動禁止信号１４１を出力し、起動回路１１５に一定時間起動信号１１３の出力を禁止させる再起動禁止制御部１３０と、を有する。【選択図】図１
2010011151.tif 000002
【特許請求の範囲】
【請求項１】
高周波信号を検波し、検波した高周波信号が一定レベル以上であると起動信号を出力する起動回路と、
前記起動信号を受けて前記高周波信号の復調動作を開始する受信信号処理部と、を有する受信機であって、
前記受信信号処理部が、
前記高周波信号から復調信号を復元する復調部と、
前記復調信号が所望の信号であるか否か判定し所望の信号でなかった場合に前記起動回路に再起動禁止信号を出力し、前記起動回路に一定時間前記起動信号の出力を禁止させる再起動禁止制御部と、
を有する受信機。
【請求項２】
前記起動回路が、前記再起動禁止信号を受けて一定時間起動信号の出力を禁止する時定数回路をさらに備えた起動回路である請求項１記載の受信機。
【請求項３】
前記再起動禁止制御部は、前記受信信号処理部が前記起動回路から起動信号を受けて動作を開始する毎に、前記復調信号が所望の信号であるか否か判定し復調信号が所望の信号でなかった場合には、所望の信号でなかった回数を計数し、所望の信号でなかった回数が連続するほど、前記起動信号の出力を禁止させる時間を長くさせるように前記再起動禁止信号を出力する再起動禁止制御部である請求項１または２記載の受信機。
【請求項４】
前記再起動禁止制御部は、
前記受信信号処理部が前記起動回路から起動信号を受けて動作を開始する毎に、前記復調信号が所望の信号であるか否か判定し、所望の信号でなかった場合に所望の信号でなかった回数を計数し、所望の信号であった場合には前記計数値をリセットする判定部と、
前記計数値に応じた電流を出力するＤＡ変換部と、を備え、
前記再起動禁止信号が、前記ＤＡ変換部の出力する電流信号である
請求項１乃至３いずれか１項記載の受信機。
【請求項５】
前記起動回路が、
前記再起動禁止信号を充電するコンデンサと、
コンデンサに充電した電荷を放電する固定抵抗と、
前記コンデンサに充電した電荷が所定の電圧以上である場合に前記起動信号の出力を禁止する比較回路を備えた起動回路である請求項１乃至４いずれか１項記載の受信機。
【請求項６】
前記起動回路が、前記再起動禁止信号を受けて一定時間動作を休止する請求項１乃至５いずれか１項記載の受信機。
【請求項７】
前記起動回路が、
所定の周波数帯域の前記高周波信号を効率よく受信するための整合回路と、
前記整合回路により整合された高周波信号をアナログ検波する検波回路と、
前記検波回路の出力を増幅する増幅回路と、
前記増幅回路により増幅された検波信号が所定の電圧以上である場合に前記起動信号を出力する起動信号出力回路と、
をさらに備え、
前記比較回路は、前記コンデンサに充電した電荷が所定の電圧以上である場合に前記検波回路、前記増幅回路、及び前記起動信号出力回路の動作を休止させる請求項５記載の受信機。
【請求項８】
起動回路と、受信信号処理部と、を含む受信機の動作電流低減方法であって、
待受状態では、前記起動回路が動作し、前記受信信号処理部は動作を休止し、
前記起動回路が、高周波信号を検波し検波した高周波信号が一定レベル以上であった場合に受信信号処理部を起動させ、起動回路は動作を休止し、
前記受信信号処理部は、前記高周波信号から復調信号を復元する復調動作を行い、
前記復調信号が所望の信号であった場合には、通信終了まで受信信号処理を継続し、通信終了後、前記待受状態に戻り、
前記復調信号が所望の信号でなかった場合には、前記起動回路が一定時間受信信号処理部を起動しないように設定した後、前記待受状態に戻る
受信機の動作電流低減方法。
【請求項９】
前記受信信号処理部が起動する毎に、前記復調信号が所望の信号でなかったことが連続する場合には、連続する回数に基づいて、前記受信信号処理部を起動しないように設定する前記一定時間をより長い一定時間に設定する請求項８記載の受信機の動作電流低減方法。
【請求項１０】
前記復調信号が所望の信号でなかった場合には、前記一定時間前記起動回路と前記受信信号処理部のいずれの動作も休止し、前記一定時間の経過の後、前記待受状態に戻る請求項８または９に記載の受信機の動作電流低減方法。
【発明の詳細な説明】
【技術分野】
【０００１】
本発明は、受信機及びその動作電流低減方法に関する。特に、高周波信号を検波し受信機本体を起動させる起動回路を備えた受信機に関する。
【背景技術】
【０００２】
携帯可能な無線通信機器の普及にともない、バッテリ駆動時間を長くするための様々な技術が提案されている。その中で高周波検出起動回路による消費電力低減は有望な技術である。
【０００３】
図７に特許文献１に記載の従来の高周波検出起動回路のブロック図を示す。図７において、高周波信号入力端子６０１は整合回路６０２に接続され、外部から入力した高周波信号（ＲＦ信号）を整合回路６０２へ伝送する。整合回路６０２は、所望の信号帯域に整合しており、帯域外の信号について遮断する。整合回路６０２を通過した信号は検波回路６０３に入力される。検波回路６０３は、容量６０６、増幅回路６０５と共に検波増幅回路を構成し、検波及び増幅を行う。容量６０４と増幅回路６０５の入力インピーダンスは低域通過フィルタを構成しており、ノイズの除去（帯域制限）を行っている。増幅された信号は、容量６０６を通過してバッファ回路６０７により２値化回路６０８へ出力される。この容量６０６とバッファ回路６０７の入力インピーダンスで高域通過フィルタを構成しており、ノイズの除去を行っている。最後に２値化回路６０８によりデジタル信号が出力端子６０９から出力される。上記図７記載の高周波起動回路により、回路自体が持つＤＣオフセット信号やＤＣ付近の雑音を遮断することができる。
【０００４】
また、図８は、特許文献２に記載の従来の無線通信機のブロック図である。図８記載の無線通信機は、受信回路７０１、送信回路７０２、副演算装置７０３、主演算装置７０４、周辺回路７０５、外部インターフェイス７０６で構成される。受信回路７０１は受信した電波をＦＳＫ復調して信号をデジタル化して副演算装置７０３に入力する。副演算装置は受信信号のプリアンブル部分を処理して、プリアンブルが所定の起動パターンであった場合は、主演算装置７０４を起動して受信処理を始める。主演算装置７０４が通常受信時にオフしているため、信号が来ていない間の処理に主演算装置７０４の電力を必要としない。そのため、電力消費量の低減を図れる。
【特許文献１】特開２００５−１８４１７５号公報
【特許文献２】特開平１０−２８０７８号公報
【発明の開示】
【発明が解決しようとする課題】
【０００５】
しかし、上記特許文献１記載の高周波検出起動回路では、電波の届く範囲内に所望の信号と同じ周波数帯域で、同じプロトコルの他の無線通信機が存在すると、自局と通信を行わない場合にも、電波を検波し起動信号を出力する。この起動信号により自局の送受信機が立ち上がり、通信が行われていないにも関わらず電力を消費してしまう場合がある。
【０００６】
また、特許文献２記載の無線通信機では、主演算装置７０４が起動する必要があるか否かを受信回路７０１でＦＳＫ復調し、副演算装置７０３が判断する必要がある。したがって、無信号状態が継続する場合であっても、無信号であるか否かを確認するため、定期的に副演算装置７０３を起動させ、受信回路７０１で復調動作を行い、副演算装置で無信号であるか否か確認する必要がある。また、定期的に、副演算装置７０３を起動させるためには、無線通信機の内部クロックを常時動作させておく必要があり、消費電力が増加してしまう。
【０００７】
無信号状態が継続する場合には低消費電力で待受し、同じ周波数帯域で同じプロトコルの他の無線通信機に対する信号を受信した場合など所望でない信号を受信した場合にも消費電力が大きく増加しない受信機が望まれている。
【課題を解決するための手段】
【０００８】
本発明の１つのアスペクト（側面）に係る受信機は、高周波信号を検波し検波した高周波信号が一定レベル以上であると起動信号を出力する起動回路と、前記起動信号を受けて前記高周波信号の復調動作を開始する受信信号処理部と、を有する受信機であって、前記受信信号処理部が、前記高周波信号から復調信号を復元する復調部と、前記復調信号が所望の信号であるか否か判定し所望の信号でなかった場合に前記起動回路に再起動禁止信号を出力し、前記起動回路に一定時間前記起動信号の出力を禁止させる再起動禁止制御部と、を有する。
【０００９】
また、本発明の別なアスペクトに係る受信機の動作電流低減方法は、起動回路と、受信信号処理部と、を含む受信機の動作電流低減方法であって、待受状態では前記起動回路が動作し前記受信信号処理部は動作を休止し、前記起動回路が高周波信号を検波し検波した高周波信号が一定レベル以上であった場合に受信信号処理部を起動させ起動回路は動作を休止し、前記受信信号処理部は前記高周波信号から復調信号を復元する復調動作を行い、前記復調信号が所望の信号であった場合には通信終了まで受信信号処理を継続し通信終了後前記待受状態に戻り、前記復調信号が所望の信号でなかった場合には前記起動回路が一定時間受信信号処理部を起動しないように設定した後前記待受状態に戻る受信機の動作電流低減方法。
【発明の効果】
【００１０】
本発明の受信機によれば、無信号状態が継続する場合には低消費電力で待受し、かつ、所望でない信号を受信した場合にも消費電力の増加を低減できる受信機が得られる。
【００１１】
また、本発明の受信機の動作電流低減方法によれば、所望でない信号を受信したときの受信機の動作電流を低減できる。
【発明を実施するための最良の形態】
【００１２】
本発明の実施形態について、必要に応じて図面を引用して概要をまとめると、以下のとおりである。
【００１３】
図１、図２に示すように、本発明の一実施形態の受信機は、高周波信号（１０１）を検波し、検波した高周波信号が一定レベル以上であると起動信号（１１３、２１３）を出力する起動回路（１１５、２１５）と、起動信号（１１３、２１３）を受けて高周波信号（１０１）の復調動作を開始する受信信号処理部１１４と、を有する受信機（１００、２００）であって、受信信号処理部１１４が、高周波信号（１０１）から復調信号を復元する復調部１１０と、復調信号が所望の信号であるか否か判定し所望の信号でなかった場合に起動回路（１１５、２１５）に再起動禁止信号１４１を出力し、起動回路（１１５、２１５）に一定時間起動信号（１１３、２１３）の出力を禁止させる再起動禁止制御部１３０と、を有する。
【００１４】
また、一実施形態の受信機は、図１、図２に示すように、起動回路（１１５、２１５）が、再起動禁止信号１４１を受けて一定時間起動信号（１１３、２１３）の出力を禁止する時定数回路（１０７、１０８）をさらに備えた起動回路（１１５、２１５）であってもよい。
【００１５】
また、一実施形態の受信機は、図１、図２に示すように、再起動禁止制御部１３０は、受信信号処理部１１４が起動回路（１１５、２１５）から起動信号（１１３、２１３）を受けて動作を開始する毎に、復調信号が所望の信号であるか否か判定し復調信号が所望の信号でなかった場合には、所望の信号でなかった回数を計数し、所望の信号でなかった回数が連続するほど、前記起動信号の出力を禁止させる時間を長くさせるように前記再起動禁止信号を出力する再起動禁止制御部１３０であってもよい。
【００１６】
また、一実施形態の受信機は、図１、図２、図３に示すように、再起動禁止制御部１３０は、受信信号処理部１１４が起動回路（１１５、２１５）から起動信号（１１３、２１３）を受けて動作を開始する毎に復調信号が所望の信号であるか否か判定し所望の信号でなかった場合に所望の信号でなかった回数を計数し所望の信号であった場合には前記計数値をリセットする判定部１２０と、計数値に応じた電流を出力するＤＡ変換部（１１２、３０６、３０７）と、を備え、再起動禁止信号１４１が、ＤＡ変換部（１１２、３０６、３０７）の出力する電流信号１４１であってもよい。
【００１７】
また、一実施形態の受信機は、図１、図２に示すように、起動回路（１１５、２１５）が、再起動禁止信号１４１を充電するコンデンサ１０８と、コンデンサ１０８に充電した電荷を放電する固定抵抗１０７と、コンデンサ１０８に充電した電荷が所定の電圧以上である場合に起動信号（１１３、２１３）の出力を禁止する比較回路（１０９、２０６）を備えた起動回路であってもよい。
【００１８】
また、一実施形態の受信機は、図２に示すように、起動回路（２１５）が、再起動禁止信号１４１を受けて一定時間動作を休止する（２１６）ものであってもよい。
【００１９】
また、一実施形態の受信機は、図２に示すように、起動回路（２１５）が、所定の周波数帯域の高周波信号を効率よく受信するための整合回路１０２と、整合回路１０２により整合された高周波信号をアナログ検波する検波回路２０３と、検波回路２０３の出力を増幅する増幅回路２０４と、増幅回路２０４により増幅された検波信号が所定の電圧以上である場合に起動信号２１３を出力する起動信号出力回路２０５と、をさらに備え、比較回路２０６は、コンデンサ１０８に充電した電荷が所定の電圧以上である場合に検波回路２０３、増幅回路２０４、及び起動信号出力回路２０５の動作を休止させるものであってもよい。
【００２０】
さらに、本発明の一実施形態の受信機の動作電流低減方法は、図１、図２、図６に示すように、起動回路（１１５、２１５）と、受信信号処理部１１４と、を含む受信機（１００、２００）の動作電流低減方法であって、待受状態では起動回路（１１５、２１５）が動作し受信信号処理部１１４は動作を休止し（５０２）、起動回路（１１５、２１５）が高周波信号を検波し検波した高周波信号が一定レベル以上であった場合（５０４Ｙｅｓ）に受信信号処理部１１４を起動させ起動回路は動作を休止し（５０６）、受信信号処理部１１４は高周波信号から復調信号を復元する復調動作を行い、復調信号が所望の信号であった場合（５０７Ｙｅｓ）には通信終了まで受信信号処理を継続（５０９）し、通信終了後待受状態に戻り（５０２）、復調信号が所望の信号でなかった場合（５０７Ｎｏ）には起動回路（１１５、２１５）が一定時間受信信号処理部１１４を起動しないように設定（５１１）した後、待受状態に戻る（５０２）。
【００２１】
また、本発明の一実施形態の受信機の動作電流低減方法は、図１、図２、図６に示すように、受信信号処理部１１４が起動する毎に、復調信号が所望の信号でなかったことが連続する場合には、連続する回数に基づいて、前記受信信号処理部１１４を起動しないように設定する前記一定時間をより長い一定時間に設定する（５１０、５１１）ものであってもよい。
【００２２】
また、本発明の一実施形態の受信機の動作電流低減方法は、図２、図５に示すように、復調信号が所望の信号でなかった場合には、一定時間前記起動回路２１５と受信信号処理部１１４のいずれの動作も休止し（５１１）、一定時間の経過の後、前記待受状態に戻る（５０２）ものであってもよい。
【００２３】
以下、本発明の実施の形態について、図面を参照して詳しく説明する。
【００２４】
［実施形態１］
図１は、実施形態１の受信機のブロック図である。実施形態１の受信機１００は、起動回路１１５と受信信号処理部１１４を含んで構成される。起動回路１１５は、高周波信号入力端子１０１から入力される信号に所望の高周波帯域の信号が含まれていた場合に、受信信号処理部１１４を起動させる回路である。受信信号処理部１１４は、高周波信号入力端子１０１から入力された高周波信号を復調し、受信データの処理を行う。また、この受信機が無線通信機である場合には、高周波信号入力端子１０１の外部には、図示しないアンテナが接続されてもよい。
【００２５】
起動回路１１５は、高周波信号入力端子１０１から入力された信号のうち、所望の周波数帯域の信号のみを受信するための整合回路１０２と、所望の周波数帯域の信号の検波を行う検波回路１０３と、さらにその出力を増幅する増幅回路１０４と、増幅したアナログ信号を一定の基準値と比較しデジタル値に変換する２値化回路１０５を備えている。さらに起動回路１１５は、受信信号処理部１１４が出力する再起動禁止信号１４１に充電される容量Ｃ１０８と、容量Ｃ１０８に充電した電荷を常時放電する抵抗Ｒ１０７と、再起動禁止信号１４１の電圧レベルを一定の基準電圧と比較し、反転したデジタル値に変換する２値化回路１０９と、２値化回路１０５、２値化回路１０９の出力が共にハイレベルである場合に、起動信号１１３を出力するＡＮＤ回路１０６と、を備えている。
【００２６】
また、受信信号処理部１１４は、高周波信号入力端子１０１から入力した高周波信号をデジタル復調する復調回路１１０と、復調回路１１０により復元した受信信号のデータ処理を行うメインＣＰＵ１２１と、復元した受信信号が所望の信号でなかった場合に、再起動禁止信号１４１を出力する再起動禁止制御部１３０を備えている。
【００２７】
再起動禁止制御部１３０は、サブＣＰＵ１２０と、ＤＡ変換部１１２を備えている。サブＣＰＵ１２０は、復元した受信信号が所望の信号であるか否か判定を行い起動回路１１５に対して再起動を禁止する時間を決める。ＤＡ変換部１１２は、サブＣＰＵ１２０の判定結果を電流値に変換し再起動禁止信号１４１として出力する。
【００２８】
図３は、再起動禁止制御部１３０のもう少し詳しい内部構成を示すブロック図である。サブＣＰＵ１２０は、受信信号判定部３０２、受信結果記憶部３０３、出力電流制御部３０４を備えた判定部１２０として機能する。また、電流源回路３０７とスイッチ回路３０６はＤＡ変換部１１２として機能し、再起動を禁止する時間を決定する信号である再起動禁止信号１４１を電流出力信号として起動回路１１５へ出力する。
【００２９】
受信信号判定部３０２は、復調信号が所望の信号であるか否かを判定する。受信結果記憶部３０３は、復調信号が所望の信号でなかったことが何回続いたかを示す「連続受信失敗回数（Ｎｆａｉｌ）」の計数値を記憶する。出力電流制御部３０４は、「連続受信失敗回数（Ｎｆａｉｌ）」に基づいて、スイッチ回路３０６を制御して、再起動禁止信号１４１の出力電流値を決定し、再起動を禁止する時間をコントロールする。
【００３０】
また、電流源回路３０７はＮビット（Ｎは自然数）の電流源で構成され、ｋビット目（ｋはＮ以下の自然数）の電流値は、２(k-1)＊Ｉｏで重み付けされている。すなわち、１ビット目から順に、Ｉｏ、２＊Ｉｏ、４＊Ｉｏ、８＊Ｉｏ、・・・の電流を出力するように構成されている。
【００３１】
次に、図６の動作フローチャートを用いて、実施形態１の受信機の動作について説明する。この受信機は、ステップ５０１で動作を開始すると、初期設定を終えた後、起動回路１１５を動作状態に、受信信号処理部１１４を休止状態に設定し、待受状態となる（ステップ５０２）。この状態では、受信信号処理部１１４は動作を休止しているので、受信信号処理部１１４には動作電流は流れない。また、起動回路１１５は、アナログ回路と簡単なロジック回路で構成されているので、受信信号処理部１１４より動作電流は格段に小さい。
【００３２】
この待受状態（ステップ５０２）では、容量Ｃ１０８に蓄積された電荷はあったとしても、抵抗Ｒ１０７を介してすべてグランドレベルに放電されているので、再起動禁止信号１４１はグランドレベルの電位である。したがって、２値化回路１０９の出力はハイレベルとなる。
【００３３】
ここで、高周波信号入力端子１０１の入力が無信号であるか、信号が入力されても整合回路１０２、検波回路１０３、増幅回路１０４で検波し、増幅された信号が２値化回路１０５のスレッシュホールドレベルにまで達しない場合は、２値化回路１０５の出力はローレベルである。したがって、ＡＮＤ回路１０６の出力はローレベルとなり、待受状態を維持する（ステップ５０４でＮｏの場合）。
【００３４】
一方、高周波信号入力端子１０１に所望の周波数帯域の信号（ＲＦ信号）が入力され、２値化回路１０５のスレッシュホールドレベル以上になると、２値化回路１０５はハイレベルを出力する（ステップ５０４でＹｅｓの場合）。このケースでは、再起動禁止信号１４１はローレベルである（ステップ５０５でＮｏの場合）ので、２値化回路１０９の出力は上述したとおりハイレベルであり、ＡＮＤ回路１０６は反転し、起動信号１１３をハイレベルにする。
【００３５】
受信信号処理部１１４は、起動信号１１３のハイレベルを受けて、休止状態を終了させ、動作状態に入る。サブＣＰＵ１２０は、動作状態に入ると、起動回路制御信号１４２をローレベルにして、起動回路１１５を休止状態にする（ステップ５０６）。
【００３６】
受信信号処理部１１４は、高周波信号入力端子１０１から入力された高周波信号を復調回路１１０へ入力し、デジタル信号に復元する。復調信号が所望の信号であるか否か、サブＣＰＵ１２０が判定を行う（ステップ５０７）。復調信号が所望の信号であった場合（ステップ５０７でＹｅｓの場合）には、サブＣＰＵ１２０は、受信結果記憶部３０３が記憶する「連続受信失敗回数」の計数値をゼロにする（ステップ５０８）。一方、メインＣＰＵ１２１は通信終了まで受信データの信号処理を行う（ステップ５０９）。通信が終了した場合は、サブＣＰＵ１２０が起動回路制御信号１４２をハイレベルにして起動回路１１５を動作状態に設定した後、受信信号処理部１１４は、動作を休止し待受状態（ステップ５０２）に戻る。
【００３７】
一方、サブＣＰＵ１２０が所望の信号でないと判断した場合（ステップ５０７でＮｏの場合）は、受信結果記憶部３０３が記憶する「連続受信失敗回数（Ｎｆａｉｌ）」に１を加算する（ステップ５１０）。ここで、所望の信号でない場合とは、復調信号が自局に対する信号でなく他局に対する呼び出し信号であった場合や、復調回路１１０では意味ある信号に復調できない場合等の理由により受信に失敗した場合が相当する。続いて再起動禁止制御部１３０は、「連続受信失敗回数（Ｎｆａｉｌ）」の計数値に基づいて再起動禁止信号１４１を出力した（ステップ５１１）後、起動回路制御信号１４２をハイレベルにして起動回路１１５を動作状態に設定する。さらに、受信信号処理部１１４は動作を休止し、待受状態（ステップ５０２）に戻る。
【００３８】
ここで、再起動禁止制御部１３０の動作と、再起動を禁止する時間との関係について、詳しく説明する。
【００３９】
出力電流制御部３０４は、受信結果記憶部３０３に記憶されている「連続受信失敗回数（Ｎｆａｉｌ）」の情報に基づいて「連続受信失敗回数（Ｎｆａｉｌ）」が増えるほど再起動禁止信号１４１の出力電流値が増えるようにスイッチ回路３０６を制御する。具体的には、出力電流制御部３０４は、「連続受信失敗回数（Ｎｆａｉｌ）」の値がｋ（スイッチ回路３０６及び電流源回路３０７のビット数をＮとしたとき、ｋはＮ以下の自然数。）であるときは、ｋビット目のスイッチをオンし、他のビットのスイッチをオフにするように制御する。すでに述べたように電流源回路３０７の各ビット（ｋビット目）の電流値は１ビット目の電流量Ｉｏを２の（ｋ−１）乗倍するように重み付けされている。すなわち、「連続受信失敗回数（Ｎｆａｉｌ）」の値がｋであるときには、再起動禁止信号１４１の出力電流値は、１ビット目の電流量Ｉｏの２の（ｋ−１）乗倍の出力電流値になる。
【００４０】
図４に再起動禁止信号１４１の出力電流と出力電圧の波形図を示す。図４は、「連続受信失敗回数（Ｎｆａｉｌ）」の値が０から１になった場合を想定している。図４（ａ）は再起動禁止制御部１３０から出力される再起動禁止信号１４１の出力電流値を示し、図４（ｂ）は再起動禁止信号１４１の電圧値を示す。出力電流制御部３０４は、「連続受信失敗回数（Ｎｆａｉｌ）」の値が１であるので、１ビット目のスイッチ回路３０６を一定時間Ｔ０からＴ２までオンさせる。したがって、図４（ａ）に示すようにＴ０からＴ２までの期間、電流Ｉｏｕｔが再起動禁止信号１４１として出力される。すると、再起動禁止信号の電圧は、図４（ｂ）に示すようにＴ０からＴ２までの期間、容量Ｃ１０８を充電し、タイミングＴ１で再起動禁止信号１４１の電圧は、２値化回路１０９の論理スレッシュホールド以上になる。タイミングＴ２以降抵抗Ｒ１０７によって徐々に容量Ｃの電荷はグランドレベルに放電されるので再起動禁止信号１４１の電圧レベルは徐々に低下し、タイミングＴ３では、再び２値化回路1０９の論理スレッシュホールドレベルにまで低下する。このタイミングＴ１からタイミングＴ３までの期間は、再起動禁止信号１４１の電圧が２値化回路１０９の論理スレッシュホールドレベル以上であり、２値化回路１０９の出力はローレベルになるので、高周波信号入力端子１０１から入力される高周波信号のレベルにかかわらず、起動回路１１５から起動信号１１３が出力されることはない。すなわち、再起動禁止信号１４１によって、タイミングＴ１からタイミングＴ３までの一定期間起動信号１１３の出力は禁止される。
【００４１】
図５は、「連続受信失敗回数（Ｎｆａｉｌ）」が０以外の値（Ｎｆａｉｌ−１）から１増加する場合の再起動禁止信号１４１の出力電流と出力電圧の波形図である。復調回路１１０で復調を試みた結果、得られた信号が所望の信号でなかった事が（Ｎｆａｉｌ）回連続した場合である。図５（ｃ）は再起動禁止制御部１３０から出力される再起動禁止信号１４１の出力電流値を示し、図５（ｄ）は再起動禁止信号１４１の電圧値を示す。
【００４２】
まず、（Ｎｆａｉｌ−１）回目に連続して受信が失敗した場合は、出力電流制御部３０４は、（Ｎｆａｉｌ−１）ビット目のスイッチ回路３０６を一定時間ＴnからＴn+1までオンさせる。したがって、図５（ｃ）に示すようにＴnからＴn+1までの期間、Ｉｏｕｔを２の［（Ｎｆａｉｌ−１）乗］倍した電流が再起動禁止信号１４１として出力される。すると、再起動禁止信号の電圧は、図５（ｄ）に示すようにＴnからＴn+1までの期間、容量Ｃ１０８を充電し、再起動禁止信号１４１の電圧は、２値化回路１０９の論理スレッシュホールド以上になり、起動信号１１３の出力は禁止される。その後、抵抗Ｒ１０７により容量Ｃ１０８に蓄積された電荷は徐々に放電され、タイミングＴn+2には、２値化回路１０９の論理スレッシュホールド未満の電圧に低下し、起動信号１１３の出力禁止は解除される。
【００４３】
次に、もう一度連続して受信に失敗した場合は、出力電流制御部３０４は、（Ｎｆａｉｌ）ビット目のスイッチ回路３０６を一定時間Ｔn+3からＴn+4までオンさせる。（Ｎｆａｉｌ）ビット目の電流源回路３０７は、（Ｎｆａｉｌ−１）ビット目の電流源回路３０７の２倍の電流を流すので、図５（ｃ）に示すようにＴn+3からＴn+4までの期間、Ｉｏｕｔを［２の（Ｎｆａｉｌ）乗］倍した電流が再起動禁止信号１４１として出力される。すると、再起動禁止信号の電圧は、図５（ｄ）に示すようにＴn+3からＴn+4までの期間、容量Ｃ１０８を充電し、再起動禁止信号１４１の電圧は、２値化回路１０９の論理スレッシュホールド以上になり、起動信号１１３の出力は禁止される。その後、抵抗Ｒ１０７により容量Ｃ１０８に蓄積された電荷は徐々に放電され、タイミングＴn+5には、２値化回路１０９の論理スレッシュホールド未満の電圧に低下し、起動信号１１３の出力禁止は解除される。しかし、Ｔn+3からＴn+4まで再起動禁止信号１４１として出力される電流値は、TnからTn+1に出力される電流値の２倍であるので、起動信号１１３の出力が禁止になってから出力禁止が解除されるまでの時間も長くなっている。
【００４４】
すなわち、復調回路１１０で復調を試みた結果、得られた信号が所望の信号でなかった事が連続するほど、起動信号１１３の出力が禁止される時間も長くなっている。復調信号が所望の信号でなかった場合は、自局と同じ周波数帯域を使用する同じ通信プロトコルの他局が通信を行っている可能性が高く、しばらくは他局が通信を行っていると考えられる。そのような場合は、時間を空けないで連続して復調を試みても所望の信号が得られない確率が高い。そこで「連続受信失敗回数（Ｎｆａｉｌ）」が増加するにしたがって、再起動を禁止する時間を延ばす本実施形態の機能により誤起動の低減が実現できる。また、周囲の環境ノイズを起動回路が自局に対する通信であると誤認して起動をかけてしまう場合も、環境ノイズが収まるまで再起動を禁止し誤起動により無駄な動作電流を消費することを抑えることができる。
【００４５】
なお、「連続受信失敗回数（Ｎｆａｉｌ）」が増えても、電流源回路３０７の最上位ビットの電流値または、電流源回路３０７の全ビットの電流値の総和以上に再起動禁止信号１４１の電流値が増加することはないので、起動禁止時間が無制限に長くなることはないことは説明するまでもない。
【００４６】
また、起動回路１１５や受信信号処理部１１４は、動作停止時(休止時)に、流れる電流をさらに減らすため、起動回路１１５、受信信号処理部１１４の電源を切断してもよい。ただし、判定部１２０の受信結果記憶部３０３の電源も切断する場合は、受信結果記憶部３０３を不揮発性のメモリにする必要がある。一方、動作停止時（休止時）のリーク電流が動作電流に比べて問題にならないほど小さい場合は、通電したまま、動作を休止すればよい。また、再起動を早くし、かつ、リーク電流を減らすためには、動作休止時の電源電圧を下げてもよい。いずれにせよ、上記実施の形態によれば、受信機の動作電流を減らすことができ、その結果、受信機の消費電力を減らすことができる。
【００４７】
［実施形態２］
図２は、本発明の実施形態２の受信機のブロック図である。図２において、図１と構成機能がほぼ同一であるブロックは、同一番号を付し、詳細な説明は省略する。実施形態２の受信機では、図１の２値化回路１０９、検波回路１０３、増幅回路１０４、２値化回路１０５が、それぞれ、２値化回路２０６、検波回路２０３、増幅回路２０４、２値化回路２０５に置き換わっている。また、２値化回路２０９の出力する動作休止信号２１６が、検波回路２０３、増幅回路２０４、２値化回路２０５に接続されている。動作休止信号２１６は、起動回路２１５が動作しているとき、ハイレベルであり、２値化回路２０６は、再起動禁止信号１４１の電圧レベルが一定の基準電圧以上であると、動作休止信号２１６をローレベルにして、検波回路２０３、増幅回路２０４、２値化回路２０５の動作を休止させる。一方、再起動禁止信号１４１の電圧レベルが一定の基準電圧未満であるときは、２値化回路２０６は、ハイレベルを出力する。このときは、検波回路２０３、増幅回路２０４、２値化回路２０５は動作する。また、２値化回路２０５は、動作休止信号２１６がローレベルであるときは、増幅回路２０４の出力電圧に関わらず、起動信号２１３をローレベルにする。すなわち、再起動禁止信号１４１が一定の基準電圧以上であるときは、動作休止信号２１６がローレベルであるので、起動信号２１３もローレベルとなり、受信信号処理部１１４が起動信号２１３によって再起動されることはない。
【００４８】
なお、受信信号処理部１１４が、受信に失敗して再起動禁止信号１４１を出力して動作を休止し待受状態に戻るとき、動作休止信号２１６によって、起動回路２１５の検波回路２０３、増幅回路２０４、２値化回路２０５も同時に動作休止状態になる。すなわち、実施形態２では、受信に失敗した場合、一定の時間は、受信信号処理部１１４と起動回路２１５の検波回路２０３、増幅回路２０４、２値化回路２０５が同時に動作休止状態になるので、実施形態１に比べてもさらに動作電流を低減できる。なお、一定の時間が経過し、動作休止信号２１６がハイレベルになると、検波回路２０３、増幅回路２０４、２値化回路２０５の動作休止状態が解除され、通常の待受状態に戻る。
【００４９】
以上、本発明を実施例に即して説明したが、本発明は上記実施例の構成にのみ制限されるものでなく、本発明の範囲内で当業者であればなし得るであろう各種変形、修正を含むことは勿論である。
【図面の簡単な説明】
【００５０】
【図１】本発明の一実施形態の受信機のブロック図である。
【図２】本発明の別な実施形態の受信機のブロック図である。
【図３】本発明の一実施形態における再起動禁止制御部のブロック図である。
【図４】本発明の一実施形態における再起動禁止信号の出力電流と出力電圧の波形図である。
【図５】本発明の一実施形態における再起動禁止信号の出力電流と出力電圧の別な波形図である。
【図６】本発明の一実施形態における受信機の動作フローチャートである。
【図７】従来の高周波検出起動回路のブロック図である。
【図８】従来の無線通信機のブロック図である。
【符号の説明】
【００５１】
１００、２００  受信機
１０１、６０１  高周波信号入力端子
１０２、６０２  整合回路
１０３、２０３、６０３  検波回路
１０４、２０４、６０５  増幅回路
１０５、１０９、２０５、２０６  ２値化回路
１０６  ＡＮＤ回路
１０７  抵抗Ｒ
１０８、６０４、６０６  容量Ｃ
１１０  復調回路
１１２  ＤＡ変換部
１１３、２１３  起動信号
１１４  受信信号処理部
１１５、２１５  起動回路
１２０  サブＣＰＵ（判定部）
１２１  メインＣＰＵ
１３０  再起動禁止制御部
１４１  再起動禁止信号
１４２  起動回路制御信号
２１６  動作休止信号
３０２  受信信号判定部
３０３  受信結果記憶部
３０４  出力電流制御部
３０６  スイッチ回路
３０７  電流源回路
６０７  バッファ回路
６０８  ２値化回路
６０９  起動信号出力端子
６１０  被起動回路
７０１  受信回路
７０２  送信回路
７０３  副演算装置
７０４  主演算装置
７０５  周辺回路
７０６  外部インターフェイス
【図１】
2010011151.tif 000003
【図２】
2010011151.tif 000004
【図３】
2010011151.tif 000005
【図４】
2010011151.tif 000006
【図５】
2010011151.tif 000007
【図６】
2010011151.tif 000008
【図７】
2010011151.tif 000009
【図８】
2010011151.tif 000010